(57)【要約】【課題】  ケース本体に補助配管用の配管スペースを設けたとしても、ケース本体のコンパクト化を図ることのできる空気調和装置の室内機を提供することを目的とする。【解決手段】  室内機２は、ケーシング本体（ケース本体）２３と、室内熱交換器５０と、電装品箱７３と、室内補助冷媒配管（補助配管）５１ａ，５１ｂとを備えている。室内熱交換器５０は、ケーシング本体２３の内部に配置されている。電装品箱７３は、ケーシング本体２３の内部に配置されており、室内熱交換器５０の側方に配置されている。室内補助冷媒配管５１ａ，５１ｂは、室内熱交換器５０から後方に向けて延ばされている。また、ケーシング本体２３の内部には、電装品箱７３の後方に室内補助冷媒配管５１ａ，５１ｂを収納するための配管スペースＳ２が設けられている。【選択図】      図５
2005106397.tif 000002
【特許請求の範囲】
【請求項１】
連絡配管（４１，４２）を介して室外機（３）に接続される空気調和装置（１）の室内機（２）であって、
ケース本体（２３）と、
前記ケース本体（２３）の内部に配置される室内熱交換器（５０）と、
前記ケース本体（２３）の内部に配置され、前記室内熱交換器（５０）の側方に配置される電装品箱（７３）と、
前記室内熱交換器（５０）から後方に向けて延ばされ、前記連絡配管（４１，４２）と前記室内熱交換器（５０）とを結ぶ補助配管（５１ａ，５１ｂ）と、
を備え、
前記ケース本体（２３）の内部には、前記電装品箱（７３）の後方に前記補助配管（５１ａ，５１ｂ）を収納するための配管スペース（Ｓ２）が設けられる、
空気調和装置（１）の室内機（２）。
【請求項２】
前記電装品箱（７３）は、外部からの電気配線を接続可能な端子盤（７３３）を有しており、
前記端子盤（７３３）は、前記電装品箱（７３）の下面に設けられている、
請求項１に記載の空気調和装置（１）の室内機（２）。
【請求項３】
前記配管スペース（Ｓ２）には、前記補助配管（５１ａ，５１ｂ）を上部から下部に誘導するための筒状の配管誘導部（２３１）が設けられている、
請求項１又は２に記載の空気調和装置（１）の室内機（２）。
【発明の詳細な説明】
【技術分野】
【０００１】
本発明は、空気調和装置の室内機、特に、連絡配管を介して室外機に接続される空気調和装置の室内機に関する。
【背景技術】
【０００２】
従来から、ビルや住宅等において調和された空気を室内に送風することにより、室内の快適性を向上させる空気調和装置が知られている。例えば、エアコンは、温風や冷風を吹き出し口から室内に送風することにより、室内を快適な温度に保つことができる。
このような空気調和機は、室内機、室外機、冷媒連絡配管などを備えている。室内機は冷媒連絡配管を介して室外機に接続されている。この室内機は、主に、ケース本体と、室内熱交換器と、電装品箱と、補助配管とを備えている。ケース本体は、空調対象となる室内の壁面などに設置される。室内熱交換器は、接触する空気との間で熱交換を行うためのものであり、ケース本体の内部に配置されている。電装品箱は、室内機の運転を制御するためのものであり、ケース本体の内部に配置されている。この電装品箱は、室内熱交換器の側方に配置されている。この電装品箱の前面には、外部からの電気配線を接続可能な端子盤が設けられている。補助配管は、室内熱交換器と冷媒連絡配管とを結ぶ役割を果たしている。この補助配管は、室内熱交換器から後方に向けて延ばされて、室内熱交換器と電装品箱との間に設けられた配管スペースに収納されている。室外機には、圧縮機、四路切替弁、アキュームレータ、室外熱交換器などが設けられている。これらの機器により加熱または冷却された冷媒は、冷媒配管および補助配管を介して、室外熱交換器と室内熱交換器との間を行き来している。
【発明の開示】
【発明が解決しようとする課題】
【０００３】
従来の室内機では、補助配管が、室内熱交換器から後方に向けて延ばされて、室内熱交換器と電装品箱との間に設けられた配管スペースに収納されている。つまり、従来の室内機では、補助配管を収納するための配管スペースが、室内熱交換機と電装品箱との間に設けられている。この状態で、ケース本体のコンパクト化を図るために室内熱交換器と電装品箱との間の間隔を小さくしようとすると、電装品箱が配管スペースに干渉してしまうおそれがある。このため、室内熱交換器と電装品箱との間にスペースの余裕があったとしても、電装品箱が配管スペースに干渉しないように、室内熱交換器と電装品箱との間の間隔を設定する必要があった。これにより、ケース本体のコンパクト化を図りにくいという問題があった。
【０００４】
本発明の課題は、ケース本体に補助配管用の配管スペースを設けたとしても、ケース本体のコンパクト化を図ることのできる空気調和装置の室内機を提供することにある。
【課題を解決するための手段】
【０００５】
請求項１に記載の空気調和装置の室内機は、連絡配管を介して室外機に接続される。この室内機は、ケース本体と、室内熱交換器と、電装品箱と、補助配管とを備えている。室内熱交換器は、ケース本体の内部に配置されている。電装品箱は、ケース本体の内部に配置されており、室内熱交換器の側方に配置されている。補助配管は、室内熱交換器から後方に向けて延ばされている。また、ケース本体の内部には、電装品箱の後方に補助配管を収納するための配管スペースが設けられている。
【０００６】
この空気調和装置の室内機では、補助配管が、ケース本体の内部に配置された室内熱交換器から後方に向けて延ばされる。そして、補助配管は、電装品箱の後方に設けられた配管スペースに収納される。
ここでは、補助配管用の配管スペースが電装品箱の後方に設けられているので、室内熱交換器と電装品箱との間の間隔を極力小さくすることができる。これにより、ケース本体に補助配管用の配管スペースを設けたとしても、ケース本体のコンパクト化を図ることができる。
【０００７】
請求項２に記載の空気調和装置の室内機では、請求項１に記載の空気調和装置の室内機において、電装品箱が、外部からの電気配線を接続可能な端子盤を有している。この端子盤は、電装品箱の下面に設けられている。この場合、端子盤が電装品箱の下面に設けられているので、端子盤が電装品箱の前面に設けられる場合と比較して、ケース本体の奥行き方向のコンパクト化を図ることができる。また、端子盤が電装品箱の下面に設けられる場合は、端子盤が電装品箱の前面に設けられる場合と比較して、電気配線を電装品箱の下方から前方へと誘導する必要がなくなるため、電装品箱の前方に電気配線の誘導スペースを確保する必要がなくなる。これにより、ケース本体の奥行き方向の更なるコンパクト化を図ることができる。
【０００８】
請求項３に記載の空気調和装置の室内機では、請求項１又は２に記載の空気調和装置の室内機において、配管スペースに補助配管を上部から下部に誘導するための筒状の配管誘導部が設けられている。この場合、配管スペースには、補助配管を上部から下部に誘導するための筒状の配管誘導部が設けられているので、補助配管をケース本体の背面と電装品箱との間に設けられた配管スペースに確実に位置決めして収納することができる。
【発明の効果】
【０００９】
以上に述べたように、本発明によれば、以下の効果が得られる。
請求項１に係る発明では、補助配管用の配管スペースが電装品箱の後方に設けられているので、室内熱交換器と電装品箱との間の間隔を極力小さくすることができる。これにより、ケース本体に補助配管用の配管スペースを設けたとしても、ケース本体の幅方向のコンパクト化を図ることができる。
【００１０】
請求項２に係る発明では、端子盤が電装品箱の下面に設けられているので、端子盤が電装品箱の前面に設けられる場合と比較して、ケース本体の奥行き方向のコンパクト化を図ることができる。また、電装品箱の前方に電気配線の誘導スペースを確保する必要がなくなるので、ケース本体の奥行き方向の更なるコンパクト化を図ることができる。
請求項３に係る発明では、配管スペースに補助配管を上部から下部に誘導するための筒状の配管誘導部が設けられているので、補助配管をケース本体の背面と電装品箱との間に設けられた配管スペースに確実に位置決めして収納することができる。
【発明を実施するための最良の形態】
【００１１】
＜空気調和装置の全体構成＞
本発明の一実施形態が採用された空気調和装置１の外観を図１に示す。
この空気調和装置１は、室内の壁面などに取り付けられる室内機２と、室外に設置される室外機３と、室内機２と室外機３とを接続する連絡集合管４とを備えている。
室内機２内には室内熱交換器５０が収納され、室外機３内には室外熱交換器３０が収納されている。そして、室内熱交換器５０および室外熱交換器３０が、連絡集合管４の冷媒液配管４１および冷媒ガス配管４２により互いに接続されて、冷媒回路が構成されている。ここで、連絡集合管４は、図８に示すように、冷媒液配管４１、液配管断熱筒４１ａ、冷媒ガス配管４２，ガス配管断熱筒４２ａ、ドレンホース８５ａ、および内外連絡電線９９を、断熱テープ４ａでまとめたものである。
【００１２】
＜空気調和装置の冷媒回路の構成概略＞
空気調和装置１の冷媒回路の構成を図２に示す。この冷媒回路は、主に、室内熱交換器５０、アキュームレータ３１、圧縮機３２、四路切換弁３３、室外熱交換器３０および電動膨張弁３４で構成される。
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２の内部に設けられる室内ファンモータ７２によって回転駆動される。室内機２の詳細な構成については後に説明する。
【００１３】
室外機３には、圧縮機３２と、圧縮機３２の吐出側に接続される四路切換弁３３と、圧
縮機３２の吸入側に接続されるアキュームレータ３１と、四路切換弁３３に接続された室外熱交換器３０と、室外熱交換器３０に接続された電動膨張弁３４とが設けられている。四路切換弁３３は、ガス閉鎖弁３７を介して冷媒ガス配管４２に接続されている。そして、冷媒ガス配管４２が、室内熱交換器５０の他端から延びる室内補助冷媒ガス配管５１ｂに接続されている。電動膨張弁３４は、フィルタ３５および液閉鎖弁３６を介して冷媒液配管４１に接続されている。そして、冷媒液配管４１が、室内熱交換器５０の一端から延びる室内補助冷媒液配管５１ａに接続されている。また、室外機３には、室外熱交換器３０での熱交換後の空気を外部に排出するためのプロペラファン３８が設けられている。このプロペラファン３８は、室外ファンモータ３９によって回転駆動される。
【００１４】
＜室内機の構成＞
図３（ａ）および図３（ｂ）に室内機２の正面図および側面図を示し、図４に室内機２の断面図を示す。室内機２は、室内の側壁に設けられる壁掛け型の室内機２であり、主に、ケーシング本体２３と、前面パネル２４と、下部ユニット７と、室内熱交換器ユニット５とによって構成されている。
【００１５】
［ケーシング本体］
ケーシング本体２３は、不透明な樹脂材料から成型されており、薄型の直方体形状を有する。ケーシング本体２３は、正面視において水平方向に長い略長方形の形状を有し、側面視において鉛直方向に長い略長方形の断面形状を有する。また、ケーシング本体２３には吸込み口２５と吹出し口２６とが設けられている。ケーシング本体２３の内部には、底面上方に支持部７８が形成されている。支持部７８は、下部ユニット７や室内熱交換器ユニット５等を支持するためのものである。この支持部７８には、下部ユニット７や室内熱交換器ユニット５等が上方から取り付けられる。また、支持部７８の下部には、支持部７８と、ケーシング本体２３の底面、背面および両側面とによって囲まれた空間が形成されており、この空間が空気断熱室Ｓ１となっている。この空気断熱室Ｓ１に、ドレンホース８５と室内補助冷媒配管５１ａ，５１ｂが収容されている。
【００１６】
吸込み口２５は、クロスフローファン７１によって室内からケーシング本体２３内へと取り込まれる空気が通る開口であり、第１吸込み口２７と第２吸込み口２８とがある。第１吸込み口２７は、正面視において水平方向に長い形状を有し、その長さはケーシング本体２３の幅よりも僅かに短い。第１吸込み口２７は、室内熱交換器ユニット５の前面側で、ケーシング本体２３の前面の中央付近に設けられている。第１吸込み口２７は、室内機２の運転停止時には、前面パネル２４の第２パネル２４１によって閉じられている。第２吸込み口２８は、ケーシング本体２３の長手方向に長い複数のスリットによって構成されており、ケーシング本体２３の上面に設けられている。
【００１７】
吹出し口２６は、クロスフローファン７１によって室内熱交換器５０を通り室内へと吹出される空気が通る開口である。吹出し口２６は、正面視において水平方向に長い形状を有し、その長さはケーシング本体２３の幅よりも僅かに短い。この吹出し口２６は、ケーシング本体２３の下部前面近傍に設けられている。室内機２の運転停止時には、吹出し口２６は前面パネル２４の第１パネル２４０によって閉じられている。また、吹出し口２６近傍には、空気を室内に案内するための水平フラップ２９が設けられている。この水平フラップ２９は、ケーシング本体２３の長手方向に平行な軸を中心に回動自在になっており、フラップモータ（図示せず）によって回転駆動される。
【００１８】
［前面パネル］
前面パネル２４は、ケーシング本体２３とは別体に形成されており、ケーシング本体２３の前面のほぼ全体を覆うように配置されている。前面パネル２４は、第１パネル２４０と第２パネル２４１と第３パネル２４２とからなっている。
第１パネル２４０は、ケーシング本体２３の前面下方に配置されている。第１パネル２４０は、図示しない移動機構によって上下方向に平行移動可能に支持されており、吹出し口２６を開閉する（図３（ｂ）および図３（ｃ）参照）。第１パネル２４０は、長方形の平板状の部材であり、正面視におけるケーシング本体２３の幅とほぼ同じ幅を有している。第１パネル２４０の表側は、凹凸および穴やスリットなどの開口部のない概ね平坦な形状に形成されている。この第１パネル２４０は、吹出し口２６を閉じた状態においては、図３（ｂ）および図４に示したように、鉛直方向に平行な状態となる。このとき、正面視において、第１パネル２４０の投影面積は、吹出し口２６の投影面積よりも大きくなっている。これにより、第１パネル２４０は、吹出し口２６を閉じた状態においては、吹出し口２６を含むケーシング本体２３の前面の下方をほぼ全体わたって覆うことができるようになっている。
【００１９】
第２パネル２４１は、ケーシング本体２３の前面上方に配置されている。第２パネル２４１は、図示しない移動機構によって移動可能に支持されており、第１吸込み口２７を開閉する（図３（ｂ）および図３（ｃ）参照）。第２パネル２４１は、長方形の平板状の部材であり、正面視において第１吸込み口２７を含むケーシング本体２３の幅とほぼ同じ幅を有している。第２パネル２４１の表側は、凹凸および穴やスリットなどの開口部のない概ね平坦な形状に形成されている。この第２パネル２４１は、第１吸込み口２７を閉じた状態においては、図３（ｂ）および図４に示したように、鉛直方向に平行な状態となる。このとき、正面視において、第２パネル２４１の投影面積は、第１吸込み口２７の投影面積よりも大きくなっている。これにより、第２パネル２４１は、第１吸込み口２７を閉じた状態においては、第１吸込み口２７を含むケーシング本体２３の前面の上方をほぼ全体わたって覆うことができるようになっている。
【００２０】
第３パネル２４２は、第１パネル２４０と第２パネル２４１との間に配置されている。第３パネル２４２は、正面視において長方形の形状を有している。第３パネル２４２は、正面視において、ケーシング本体２３の幅とほぼ同じ幅を有し、上下方向に第１パネル２４０とほぼ同じ高さを有している。第３パネル２４２の表側は、凹凸および穴やスリットなどの開口部のない概ね平坦な形状に形成されている。このような第３パネル２４２は、ケーシング本体２３の前方に所定の隙間を設けた状態で、ケーシング本体２３の左右側面において固定されている。ここに設けられた隙間は、下方に配置された第１パネル２４０の厚さよりも僅かに大きく形成されており、第１パネル２４０が上方に移動して吹出し口２６が開かれるときに、第１パネル２４０を収容する空間となっている。また、第３パネル２４２は、不透明な樹脂材料から成型されている。
【００２１】
このように、第１パネル２４０、第２パネル２４１および第３パネル２４２は、鉛直方向に平行に上下に並んで配置されており、吹出し口２６および第１吸込み口２７が閉じられた状態では、ほぼ平坦な長方形の平面を構成するように配置される。第１パネル２４０、第２パネル２４１および第３パネル２４２によって構成される前面パネル２４は、吹出し口２６および第１吸込み口２７が閉じられた状態ではケーシング本体２３の前面のほぼ全体を覆い、第１パネル２４０、第２パネル２４１および第３パネル２４２の境目にできる継目のみが正面視において表れる。このようにして、空気調和機１の室内機２の美観を向上させている。
【００２２】
［下部ユニット］
下部ユニット７は、ケーシング本体２３の内部に配置されており、図４および図５に示すように、クロスフローファン７１、室内ファンモータ７２、電装品箱７３等によって構成されている。
（クロスフローファン）
クロスフローファン７１は、たとえばＡＳ樹脂などの樹脂製品からなり、長細い円筒形状に構成される。クロスフローファン７１は、図５に示すように、中心軸が水平方向に平行になるようにケーシング本体２３に配置されている。このクロスフローファン７１は、図４に示すように、側面視においてケーシング本体２３の概ね中央に位置している。この状態で、クロスフローファン７１は、ケーシング本体２３の支持部７８に設けられたファン支持部材８８によって支持されている。クロスフローファン７１の周面には羽根が設けられており、クロスフローファン７１が中心軸周りに回転することにより、空気流が生成される。この空気流は、吸込み口２５から取り入れられ室内熱交換器５０を通り吹出し口２６から室内へと吹き出される空気の流れである。
【００２３】
（室内ファンモータ）
室内ファンモータ７２は、クロスフローファン７１を中心軸周りに回転駆動するためのものである。室内ファンモータ７２は、クロスフローファン７１と概ね同じ直径を有する薄い円筒形状を有している。この室内ファンモータ７２は、図５に示すように、クロスフローファン７１の右側方にクロスフローファン７１と同軸に配置されており、ケーシング本体２３の支持部７８に取り付けられている。そして、室内ファンモータ７２が支持部７８に取り付けられた状態では、室内ファンモータ７２とクロスフローファン７１との頂上部分の高さはほぼ同じ高さになっている。
【００２４】
（電装品箱）
電装品箱７３は、図５に示すように、室内機２の運転を制御するための制御基板７３１を収容している。電装品箱７３は、直方体の箱状の形状を有している。電装品箱７３は、後述する室内熱交換器ユニット５の室内熱交換器５０からケーシング本体２３の長手方向に所定の間隔を隔てた位置で、ケーシング本体２３の前面側に配置されている。この電装品箱７３は、室内ファンモータ７２の右側方において、ケーシング本体２３の支持部７８に取り付けられており、室内熱交換器ユニット５を下部ユニット７の上方に取り付ける前に支持部７８に取り付けられる。電装品箱７３には、制御基板７３１に取り付けられた制御部品のうち容量の大きなコンデンサやパワートランジスタなどの強電部品７３２が、室内ファンモータ７２と軸方向に並ぶように配置されている。また、電装品箱７３は外部からの電気配線を接続可能な端子盤７３３を有しており、この端子盤７３３は電装品箱７３の下面に設けられている（図７参照）。
【００２５】
電装品箱７３の後方、すなわち電装品箱７３とケーシング本体２３の背面との間には、配管スペースＳ２が設けられている。この配管スペースＳ２には、後述する室内熱交換器ユニット５の室内補助冷媒配管５１ａ，５１ｂを上部から下部に誘導するための矩形筒状の配管誘導部２３１が配置されている。この配管誘導部２３１は、ケーシング本体２３の背面に装着されている。
【００２６】
［室内熱交換器ユニット］
室内熱交換器ユニット５は、ケーシング本体２３の内部に配置されており、図６に示すように、室内熱交換器５０、室内補助冷媒配管５１ａ，５１ｂ等によって構成されている。室内熱交換器ユニット５は、クロスフローファン７１や室内ファンモータ７２がケーシング本体２３に取り付けられた状態で上方から被せられる。
【００２７】
（室内熱交換器）
室内熱交換器５０は、図４に示したように、クロスフローファン７１が回転することにより吸込み口２５から吸い込まれた空気をクロスフローファン７１側に通過させ、伝熱管５３の内部を通過する冷媒との間で熱交換を行わせる。室内熱交換器５０は、クロスフローファン７１の前方および上方を取り囲むように取り付けられている。室内熱交換器５０は、第１室内熱交換部５０ａ、第２室内熱交換部５０ｂ、第３室内熱交換部５０ｃの３つの部分に分割されている。第１室内熱交換部５０ａ、第２室内熱交換部５０ｂおよび第３室内熱交換部５０ｃは、正面視において、それぞれが水平方向に長い板状に形成されている。各室内熱交換部５０ａ，５０ｂ，５０ｃがそれぞれ接合されることにより、室内熱交換器５０は側面視において概ね逆Ｖ字型の断面形状に形成される。
【００２８】
第１室内熱交換部５０ａは、ケーシング本体２３の内部において上端を前方側に傾斜させており、クロスフローファン７１の中央上方から後側上方を覆うように配置されている。
第２室内熱交換部５０ｂは、ケーシング本体２３の内部において上端を後方側に傾斜させており、第１室内熱交換部５０ａの前方でクロスフローファン７１の中央上方から前側上方を覆うように配置されている。そして、第２室内熱交換部５０ｂの上端が、第１室内熱交換部５０ａの上端に接合されている。このようにして、第１室内熱交換部５０ａと第２室内熱交換部５０ｂとは、側面視において逆Ｖ字型になるように組み合わされている。
【００２９】
第３室内熱交換部５０ｃは、第２室内熱交換部５０ｂの下方でクロスフローファン７１の前方を覆うように配置されている。そして、第３室内熱交換部５０ｃの上端が、第２室内熱交換部５０ｂの下端に、クロスフローファン７１側の角度が鈍角となるように角度を付けて接合されている。第３室内熱交換部５０ｃは、高さ方向、すなわち鉛直方向に平行になっている。
【００３０】
各室内熱交換部５０ａ，５０ｂ，５０ｃ，５０ｄは、図６に示すように、両側端で複数回折り返されてなる伝熱管５３と、伝熱管５３が挿通される短冊状の複数のフィンとから構成されている。伝熱管５３は、各室内熱交換部５０ａ，５０ｂ，５０ｃの水平方向の両側端においてＵ字型に折り返されている。
（室内補助冷媒配管）
室内補助冷媒配管である室内補助冷媒液配管５１ａおよび室内補助冷媒ガス配管５１ｂは、室内熱交換器５０と、連絡集合管４の冷媒液配管４１および冷媒ガス配管４２とを結ぶ役割を果たしている。これら室内補助冷媒液配管５１ａおよび室内補助冷媒ガス配管５１ｂには、室内熱交換器５０と室外熱交換器３０との間を行き来する冷媒が流れている。
【００３１】
室内補助冷媒液配管５１ａおよび室内補助冷媒ガス配管５１ｂは、図６に示すように、室内熱交換器５０の側面から突出する伝熱管５３に接続されている。これら室内補助冷媒液配管５１ａおよび室内補助冷媒ガス配管５１ｂは、伝熱管５３に接続された後、ケーシング本体２３の背面に向けて延ばされている。そして、ケーシング本体２３の背面に沿って右側へと延び、図７に示すように、電装品箱７３の後方の配管誘導部２３１内を上部から下部へと誘導されている。さらに、室内補助冷媒液配管５１ａおよび室内補助冷媒ガス配管５１ｂは、配管誘導部２３１の下部において左側に向けて屈曲され、ケーシング本体２３の背面側下部に形成された空気断熱室Ｓ１を通って、ケーシング本体２３の背面左側で冷媒液配管４１および冷媒ガス配管４２に接続される。
【００３２】
＜特徴＞
（１）
この空気調和装置１の室内機２では、電装品箱７３の後方、すなわち電装品箱７３とケーシング本体２３の背面との間に、配管スペースＳ２が設けられている。このため、室内熱交換器５０と電装品箱７３との間に配管スペースＳ２を設けた場合と比較して、室内熱交換機５０と電装品箱７３との間の間隔を小さくすることができる。これにより、ケーシング本体２３の幅方向のコンパクト化を図ることができる。
【００３３】
（２）
この空気調和装置１の室内機２では、端子盤７３３が電装品箱７３の下面に設けられている。これにより、端子盤７３３が電装品箱７３の前面に設けられる場合と比較して、ケース本体の奥行き方向のコンパクト化を図ることができる。また、端子盤７３３が電装品箱７３の下面に設けられる場合は、端子盤７３３が電装品箱７３の前面に設けられる場合と比較して、電気配線を電装品箱７３の下方から前方へと誘導する必要がなくなるため、電装品箱７３の前方に電気配線の誘導スペースを確保する必要がなくなる。これにより、ケース本体の奥行き方向の更なるコンパクト化を図ることができる。
【００３４】
（３）
この空気調和装置１の室内機２では、配管スペースＳ２に、室内熱交換器ユニット５の室内補助冷媒配管５１ａ，５１ｂを上部から下部に誘導するための矩形筒状の配管誘導部２３１が配置されている。これにより、室内補助冷媒配管５１ａ，５１ｂを電装品箱７３とケーシング本体２３の背面との間に設けられた配管スペースＳ２に確実に位置決めして収納することができる。
【図面の簡単な説明】
【００３５】
【図１】空気調和装置の外観図。
【図２】空気調和装置の冷媒回路図。
【図３】（ａ）空気調和装置の室内機の正面図。            （ｂ）空気調和装置の室内機の右側面図（吹出し口を閉じた状態）。            （ｃ）空気調和装置の室内機の右側面図（吹出し口を開いた状態）。
【図４】空気調和装置の室内機の断面図。
【図５】下部ユニットの上面図。
【図６】室内熱交換器ユニットの外観斜視図。
【図７】電装品箱を後方から見た外観斜視図。
【図８】連絡集合管の断面図。
【符号の説明】
【００３６】
１        空気調和装置
２        室内機
３        室外機
４        連絡集合管（連絡配管）
２３      ケーシング本体（ケース本体）
５０      室内熱交換器
５１ａ    室内補助冷媒液配管（補助配管）
５１ｂ    室内補助冷媒ガス配管（補助配管）
７３      電装品箱
２３１    配管誘導部
７３３    端子盤
Ｓ２      配管スペース
【図１】
2005106397.tif 000003
【図２】
2005106397.tif 000004
【図３】
2005106397.tif 000005
【図４】
2005106397.tif 000006
【図５】
2005106397.tif 000007
【図６】
2005106397.tif 000008
【図７】
2005106397.tif 000009
【図８】
2005106397.tif 000010